【手続補正書】
【提出日】平成27年2月6日(2015.2.6)
【手続補正１】
【補正対象書類名】明細書
【補正対象項目名】発明の名称
【補正方法】変更
【補正の内容】
【発明の名称】ヘッドレスト支持構造及び車両用シート
【手続補正２】
【補正対象書類名】明細書
【補正対象項目名】０００１
【補正方法】変更
【補正の内容】
【０００１】
本発明は、ヘッドレストを支持するヘッドレスト支持構造及び車両用シートに関する。
【手続補正３】
【補正対象書類名】明細書
【補正対象項目名】０００５
【補正方法】変更
【補正の内容】
【０００５】
以上の課題を解決するため、請求項１に係る発明は、ヘッドレスト支持構造において、ヘッドレストから下方に延出されたステーと、背もたれに設けられ、筒状に設けられ、上下に延在したブラケットと、前記ステーが挿入される挿入孔を有するとともに、前記ブラケットに嵌挿され、上下に延在した筒状部と、
前記筒状部の外周面の片面側に凸設されて上下方向に配列され、前記ブラケットの内面に対向した複数の突出部と、を備え、
前記筒状部の前記片面における前記複数の突出部が凸設されている部分は、前記筒状部の前記片面の下端部より前記突出部の突出方向とは逆方向に凹んだ形状であることを特徴とする。
【手続補正４】
【補正対象書類名】明細書
【補正対象項目名】０００６
【補正方法】変更
【補正の内容】
【０００６】
請求項２に係る発明は、請求項１記載のヘッドレスト支持構造において、
前記複数の突出部の先端部は、前記突出部の突出方向方向について前記筒状部の前記片面の下端部と同一位置に並んでいることを特徴とする。
【手続補正５】
【補正対象書類名】明細書
【補正対象項目名】０００７
【補正方法】変更
【補正の内容】
【０００７】
請求項３に係る発明は、請求項１又は２記載のヘッドレスト支持構造において、
前記複数の突出部は、前記筒状部の前記片面の下端部を除く全体に設けられていることを特徴とする。
【手続補正６】
【補正対象書類名】明細書
【補正対象項目名】０００８
【補正方法】変更
【補正の内容】
【０００８】
請求項４に係る発明は、請求項１から３のいずれか一項に記載のヘッドレスト支持構造において、
前記筒状部の外周面の前記片面とは逆側の面に前記突出部の突出方向とは逆方向に凸となる部分が設けられていることを特徴とする。
【手続補正７】
【補正対象書類名】明細書
【補正対象項目名】０００９
【補正方法】変更
【補正の内容】
【０００９】
請求項５に係る発明は、請求項４記載のヘッドレスト支持構造において、
前記凸となる部分は上下に二つ設けられていることを特徴とする。
【手続補正８】
【補正対象書類名】明細書
【補正対象項目名】００１０
【補正方法】変更
【補正の内容】
【００１０】
請求項６に係る発明は、請求項４記載のヘッドレスト支持構造において、
前記突出部の反対側において前記筒状部に開口が形成され、
前記二つの凸となる部分は、前記開口を挟んで設けられていることを特徴とする。
【手続補正９】
【補正対象書類名】明細書
【補正対象項目名】００１１
【補正方法】変更
【補正の内容】
【００１１】
請求項７に係る発明は、請求項６記載のヘッドレスト支持構造において、
前記二つの凸となる部分は、前記開口を上下に挟んで設けられていることを特徴とする。
【手続補正１０】
【補正対象書類名】明細書
【補正対象項目名】００１２
【補正方法】変更
【補正の内容】
【００１２】
請求項８に係る発明は、請求項１から７のいずれか一項に記載のヘッドレスト支持構造を有する車両用シートにおいて、
前記複数の突出部は、前記筒状部の上部の外周面に凸設された第１の突出部と、前記筒状部の上下方向の中間部の外周面に凸設された第２の突出部と、前記筒状部の下部の外周面に凸設された第３の突出部とを有し、
前記第１の突出部と前記第２の突出部との間に介在した第１の連結部と、
前記第２の突出部と前記第３の突出部との間に介在した第２の連結部と、を備えることとを特徴とする。
【手続補正１１】
【補正対象書類名】明細書
【補正対象項目名】００１３
【補正方法】変更
【補正の内容】
【００１３】
請求項９に係る発明は、請求項１から７のいずれか一項に記載のヘッドレスト支持構造を有する車両用シートにおいて、
前記複数の突出部は、前記筒状部の外周面に凸設された第１の突出部と、前記第１の突出部の下方において前記筒状部の外周面に凸設された第２の突出部とを有し、
前記第１の突出部と前記第２の突出部との間に介在した連結部と、を備えることを特徴とする。
【手続補正１２】
【補正対象書類名】明細書
【補正対象項目名】００１４
【補正方法】変更
【補正の内容】
【００１４】
請求項１０に係る発明は、請求項１から７のいずれか一項に記載のヘッドレスト支持構造を有する車両用シートにおいて、
前記複数の突出部のうち前記筒状部の上下方向の中間部に配置された突出部の隣同士の間隔は、他の突出部の隣同士の間隔よりも小さいことを特徴とするヘッドレスト支持構造。
【手続補正１３】
【補正対象書類名】明細書
【補正対象項目名】００１５
【補正方法】変更
【補正の内容】
【００１５】
請求項１１に係る発明は、請求項１から７のいずれか一項に記載のヘッドレスト支持構造を有する車両用シートにおいて、
前記複数の突出部のうち前記筒状部の上下方向の中間部に配置された突出部の上下方向の長さは、他の突出部の上下方向の長さよりも大きいことを特徴とする。
【手続補正１４】
【補正対象書類名】明細書
【補正対象項目名】００１６
【補正方法】変更
【補正の内容】
【００１６】
請求項１２に係る発明は、請求項１から７のいずれか一項に記載のヘッドレスト支持構造を有する車両用シートにおいて、
前記複数の突出部のうち前記筒状部の上下方向の中間部に配置された突出部の左右方向の長さは、他の突出部の左右方向の長さよりも大きいことを特徴とする。
【手続補正１５】
【補正対象書類名】明細書
【補正対象項目名】００１７
【補正方法】変更
【補正の内容】
【００１７】
請求項１３に係る発明は、請求項１から７のいずれか一項に記載のヘッドレスト支持構造を有する車両用シートにおいて、
前記突出部の反対側において前記筒状部に開口が形成され、
前記突出部の上下方向の位置と前記開口の上下方向の位置が対応していることを特徴とする。
【手続補正１６】
【補正対象書類名】明細書
【補正対象項目名】００１８
【補正方法】変更
【補正の内容】
【００１８】
請求項１４に係る発明は、請求項１から７のいずれか一項に記載のヘッドレスト支持構造を有する車両用シートにおいて、
前記複数の突出部間に介在した複数の連結部を備え、
前記複数の連結部のうち前記筒状部の上下方向の中間部に配置された連結部の左右方向の幅が、他の連結部の左右方向の幅よりも大きいことを特徴とする。
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】変更
【補正の内容】
【００２０】
請求項１に係る発明によれば、複数の突出部によって筒状部の剛性が向上する。
請求項８に係る発明によれば、第１〜第３の突出部によって筒状部の剛性が向上する。また、第１及び第２の連結部によって第１〜第３の突出部の剛性が向上する。これにより、筒状部の変形を抑えることができる。
【手続補正１９】
【補正対象書類名】明細書
【補正対象項目名】００２１
【補正方法】変更
【補正の内容】
【００２１】
請求項９に係る発明によれば、第１及び第２の突出部によって筒状部の剛性が向上する。また、連結部によって第１及び第２の突出部の剛性が向上する。これにより、筒状部の変形を抑えることができる。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】変更
【補正の内容】
【００２３】
請求項１０に係る発明によれば、複数の突出部によって筒状部の剛性が向上する。特に、ステーが筒状部の上下方向の中間部において筒状部の内面に押し付けられる場合でも、複数の突出部のうち筒状部の上下方向の中間部に配置された突出部の隣同士の間隔が他の突出部の隣同士の間隔よりも小さいから、筒状部の変形を効率よく抑えることができる。
【手続補正２２】
【補正対象書類名】明細書
【補正対象項目名】００２４
【補正方法】変更
【補正の内容】
【００２４】
請求項１１に係る発明によれば、複数の突出部によって筒状部の剛性が向上する。特に、ステーが筒状部の上下方向の中間部において筒状部の内面に押し付けられる場合でも、複数の突出部のうち筒状部の上下方向の中間部に配置された突出部の上下方向の長さが他の突出部の上下方向の長さよりも大きから、筒状部の変形を効率よく抑えることができる。
【手続補正２３】
【補正対象書類名】明細書
【補正対象項目名】００２５
【補正方法】変更
【補正の内容】
【００２５】
請求項１２に係る発明によれば、複数の突出部によって筒状部の剛性が向上する。これにより、筒状部の変形を抑えることができる。特に、ステーが筒状部の上下方向の中間部において筒状部の内面に押し付けられる場合でも、複数の突出部のうち筒状部の上下方向の中間部に配置された突出部の左右方向の幅が他の突出部の左右方向の幅よりも大きいから、筒状部の変形を効率よく抑えることができる。
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】変更
【補正の内容】
【００３４】
請求項１４に係る発明によれば、複数の突出部によって筒状部の剛性が向上する。また、複数の連結部によって複数の突出部の剛性が向上する。これにより、筒状部の変形を抑えることができる。特に、ステーが筒状部の上下方向の中間部において筒状部の内面に押し付けられる場合でも、複数の連結部のうち筒状部の上下方向の中間部に配置された連結部の左右方向の幅が他の連結部の左右方向の幅よりも大きいから、筒状部の変形を効率よく抑えることができる。
【手続補正３２】
【補正対象書類名】特許請求の範囲
【補正対象項目名】全文
【補正方法】変更
【補正の内容】
【特許請求の範囲】
【請求項１】
ヘッドレストから下方に延出されたステーと、
背もたれに設けられ、筒状に設けられ、上下に延在したブラケットと、
前記ステーが挿入される挿入孔を有するとともに、前記ブラケットに嵌挿され、上下に延在した筒状部と、
前記筒状部の外周面の片面側に凸設されて上下方向に配列され、前記ブラケットの内面に対向した複数の突出部と、を備え、
前記筒状部の前記片面における前記複数の突出部が凸設されている部分は、前記筒状部の前記片面の下端部より前記突出部の突出方向とは逆方向に凹んだ形状であることを特徴とするヘッドレスト支持構造。
【請求項２】
前記複数の突出部の先端部は、前記突出部の突出方向方向について前記筒状部の前記片面の下端部と同一位置に並んでいることを特徴とする請求項１記載のヘッドレスト支持構造。
【請求項３】
前記複数の突出部は、前記筒状部の前記片面の下端部を除く全体に設けられていることを特徴とする請求項１又は２記載のヘッドレスト支持構造。
【請求項４】
前記筒状部の外周面の前記片面とは逆側の面に前記突出部の突出方向とは逆方向に凸となる部分が設けられていることを特徴とする請求項１から３のいずれか一項に記載のヘッドレスト支持構造。
【請求項５】
前記凸となる部分は上下に二つ設けられていることを特徴とする請求項４記載のヘッドレスト支持構造。
【請求項６】
前記突出部の反対側において前記筒状部に開口が形成され、
前記二つの凸となる部分は、前記開口を挟んで設けられていることを特徴とする請求項４記載のヘッドレスト支持構造。
【請求項７】
前記二つの凸となる部分は、前記開口を上下に挟んで設けられていることを特徴とする請求項６記載のヘッドレスト支持構造。
【請求項８】
前記複数の突出部は、前記筒状部の上部の外周面に凸設された第１の突出部と、前記筒状部の上下方向の中間部の外周面に凸設された第２の突出部と、前記筒状部の下部の外周面に凸設された第３の突出部とを有し、
前記第１の突出部と前記第２の突出部との間に介在した第１の連結部と、
前記第２の突出部と前記第３の突出部との間に介在した第２の連結部と、を備える請求項１から７のいずれか一項に記載のヘッドレスト支持構造を、有することを特徴とする車両用シート。
【請求項９】
前記複数の突出部は、前記筒状部の外周面に凸設された第１の突出部と、前記第１の突出部の下方において前記筒状部の外周面に凸設された第２の突出部とを有し、
前記第１の突出部と前記第２の突出部との間に介在した連結部と、を備える請求項１から７のいずれか一項に記載のヘッドレスト支持構造を、有することを特徴とする車両用シート。
【請求項１０】
前記複数の突出部のうち前記筒状部の上下方向の中間部に配置された突出部の隣同士の間隔は、他の突出部の隣同士の間隔よりも小さい請求項１から７のいずれか一項に記載のヘッドレスト支持構造を、有することを特徴とする車両用シート。
【請求項１１】
前記複数の突出部のうち前記筒状部の上下方向の中間部に配置された突出部の上下方向の長さは、他の突出部の上下方向の長さよりも大きい請求項１から７のいずれか一項に記載のヘッドレスト支持構造を、有することを特徴とする車両用シート。
【請求項１２】
前記複数の突出部のうち前記筒状部の上下方向の中間部に配置された突出部の左右方向の長さは、他の突出部の左右方向の長さよりも大きい請求項１から７のいずれか一項に記載のヘッドレスト支持構造を、有することを特徴とする車両用シート。
【請求項１３】
前記突出部の反対側において前記筒状部に開口が形成され、
前記突出部の上下方向の位置と前記開口の上下方向の位置が対応している請求項１から７のいずれか一項に記載のヘッドレスト支持構造を、有することを特徴とする車両用シート。
【請求項１４】
前記複数の突出部間に介在した複数の連結部を備え、
前記複数の連結部のうち前記筒状部の上下方向の中間部に配置された連結部の左右方向の幅が、他の連結部の左右方向の幅よりも大きい請求項１から７のいずれか一項に記載のヘッドレスト支持構造を、有することを特徴とする車両用シート。